(57)【要約】【課題】シートスルー方式の画像読取装置の異なる読取部における原稿読取ガラスに付着する紙粉・塵埃等を、すばやく清掃することができる清掃具を提供する。【解決手段】画像読取装置の読取部に形成された突状もしくは溝状のガイド部材１３２またはガイド溝４１７と係合する係合部３５と、第１と第２の清掃面３３１、３３２とを有する清掃面部３３とを備え、係合部３５がガイド部材１３２に係合したときに第１清掃面３３１が第１読取ガラス１３の読取位置Ｒ１の部分に当接し、係合部３５がガイド溝１４１７に係合したときに第２清掃面３３２が第２読取ガラス４１３の読取位置Ｒ２の部分に当接するように、第１清掃面３３１と第２清掃面３３２の位置関係が設定されている。【選択図】図８
2011160099.tif 000002
【特許請求の範囲】
【請求項１】
搬送される原稿の画像を、第１と第２の読取位置において、それぞれ透光性を有する第１と第２の原稿読取板を介して読み取る構成の原稿読取装置に使用される原稿読取板清掃具であって、
前記原稿読取装置は、
第１と第２の原稿読取板と並行して主走査方向に延びるように形成された第１、第２のガイド部を有し、
前記原稿読取板清掃具は、
前記第１又は第２のガイド部に係合する係合部と、
第１と第２の清掃面を有する清掃部と、
を備え、
前記第１と第２の清掃面の位置関係が、
前記係合部が前記第１のガイド部に係合したときに、前記第１の清掃面が前記第１の原稿読取板の読取位置表面に当接する第１の当接状態と、前記係合部が前記第２のガイド部に係合したときに、前記第２の清掃面が前記第２の原稿読取板の読取位置表面に当接する第２の当接状態とを満たすように決定されている
ことを特徴とする原稿読取板清掃具。
【請求項２】
前記第１と第２のガイド部は、それぞれ第１と第２の原稿読取板よりも原稿搬送方向下流側において形成されると共に、前記第１と第２の原稿読取板表面のそれぞれには、各読取位置より原稿搬送上流側の位置に、所定の厚みの第１、第２のシート部材が主走査方向に平行に貼着されており、
前記第１と第２の清掃面は、それぞれ対応する原稿読取板を清掃する際に、前記第１または第２シート部材に接触しないように配置されてなる
ことを特徴とする請求項１に記載の原稿読取板清掃具。
【請求項３】
前記第１と第２の清掃面が所定の角度をなして山形に形成されてなる
ことを特徴とする請求項２に記載の原稿読取板清掃具。
【請求項４】
前記第１の清掃面が第２の清掃面よりも係合部から遠い位置に形成されており、
前記第１の当接状態において、
第１のガイド部から第１のシート部材までの距離をＬ１、
第１のガイド部から第１の清掃面の、係合部と反対側の端部までの距離をＬ３とし、
前記第２の当接状態において、
第２のガイド部から第２のシート部材までの距離をＬ２、
第２のガイド部から第２の清掃面の、係合部と反対側の端部までの距離をＬ４とすると、
Ｌ１＞Ｌ３、Ｌ２＞Ｌ４であって、かつ、前記第２の当接状態のときに、第１の清掃面が第１の原稿読取板から後退する方向に傾いて、第２のシート部材に接触しないように前記第１と第２の清掃面のなす角度が決定されている
ことを特徴とする請求項３に記載の原稿読取板清掃具。
【請求項５】
前記第１と第２の清掃面は段違いに形成されてなる
ことを特徴とする請求項２に記載の原稿読取板清掃具。
【請求項６】
前記第１の清掃面が第２の清掃面よりも係合部から遠い位置に形成されており、
前記第１の当接状態において、
第１のガイド部から第１のシート部材までの距離をＬ１、
第１のガイド部から第１の清掃面の、係合部と反対側の端部までの距離をＬ３とし、
前記第２の当接状態において、
第２のガイド部から第２のシート部材までの距離をＬ２、
第２のガイド部から第２の清掃面の、係合部と反対側の端部までの距離をＬ４とすると、
Ｌ１＞Ｌ３、Ｌ２＞Ｌ４であって、かつ、前記第２の当接状態のときに、第１の清掃面が第１の原稿読取板から後退して、第２のシート部材に接触しないように前記第１と第２の清掃面の段差の方向と大きさが決定されている
ことを特徴とする請求項５に記載の原稿読取板清掃具。
【発明の詳細な説明】
【技術分野】
【０００１】
本発明は、シートスルー方式の画像読取装置における透光性の原稿読取板を清掃する原稿読取板清掃具に関する。
【背景技術】
【０００２】
画像読取装置として、読取位置を通過する原稿の画像を、透明な読取り用ガラス（以下、「読取ガラス」という。）を介して読み取るシートスルー方式と、プラテンガラス上に載置された原稿に対して、プラテンガラスの下面に沿って線状光源および反射ミラーをスライドさせ、原稿からの反射光をラインセンサにまで導いて原稿の画像を読み取るミラースキャン方式とがある。
【０００３】
ミラースキャン方式の画像読取装置では、線状光源を、プラテンガラスの下面に沿ってスライドさせる必要があるのに対して、シートスルー方式の画像読取装置では、原稿が読取ガラス上を通過するため読み取り速度を向上させることができる。
その反面、シートスルー方式の画像読取装置では、読取ガラス上を通過する原稿の紙粉や周囲の塵埃等が読取ガラスに付着しやすい。読取ガラスに紙粉や塵埃等が付着すると、原稿を読み取るときに、この付着物が常時読み取られることになり、再現された画像に原稿の搬送方向に連続する筋状のノイズが発生するという問題がある。
【０００４】
そこで、例えば特許文献１では、長い棒状のベースの先端部に清掃パッドを取付けたガラス清掃棒を、露光走査ユニットの防塵ガラスの前面に摺動可能に取り付けて、ユーザがこれを往復動させて清掃する構成が開示されている。
【先行技術文献】
【特許文献】
【０００５】
【特許文献１】特開２００４−１７６０７号公報
【発明の概要】
【発明が解決しようとする課題】
【０００６】
しかしながら、露光走査ユニットの場合、防塵ガラスの長手方向の長さはそれほど大きくないため、ガラス清掃棒の長さも短くて装置の大型化につながらないが、原稿の読取ガラスの場合はかなりの長さがあり、それに合わせてガラス清掃棒も長くする必要がある。そのため、原稿読取時に清掃パッドを原稿読取領域から退避させるべく、ガラス清掃棒を引き出すと大変場所を取り、画像読取装置も大型化し、現実的ではない。
【０００７】
また、最近では、自動原稿搬送装置内にも第２面読取部を設けて、原稿の表面と裏面を同時に読み取る画像読取装置も普及化しつつあり、このような場合に各読取部に特許文献１のような清掃機構を設けることはコストアップを招来することになる。
そこで、読取部が複数あってもそれらの読取ガラスを簡易に清掃できる清掃具が望まれている。
【０００８】
本発明は、上記事情に鑑みてなされたものであって、その目的は、シートスルー方式の画像読取装置における複数の読取部における透光性の原稿読取板の清掃に適用でき、安価でありながら、すばやく清掃することができる原稿読取板清掃具を提供することを目的とする。
【課題を解決するための手段】
【０００９】
上記目的を達成するため、本発明は、搬送される原稿の画像を、第１と第２の読取位置において、それぞれ透光性を有する第１と第２の原稿読取板を介して読み取る構成の原稿読取装置に使用される原稿読取板清掃具であって、前記原稿読取装置は、第１と第２の原稿読取板と並行して主走査方向に延びるように形成された第１、第２のガイド部を有し、前記原稿読取板清掃具は、前記第１又は第２のガイド部に係合する係合部と、第１と第２の清掃面を有する清掃部とを備え、前記第１と第２の清掃面の位置関係が、前記係合部が前記第１のガイド部に係合したときに、前記第１の清掃面が前記第１の原稿読取板の読取位置表面に当接する第１の当接状態と、前記係合部が前記第２のガイド部に係合したときに、前記第２の清掃面が前記第２の原稿読取板の読取位置表面に当接する第２の当接状態とを満たすように決定されていることを特徴としている。
【発明の効果】
【００１０】
上記構成の原稿読取板清掃具によれば、異なる読取部であってもそのガイド部に係合部を係合させると第１と第２の清掃面のどちらかが、対応する原稿読取板の読取位置に当接することになるので、操作者がそのままガイド部に沿って原稿読取板清掃具を移動させることによりすばやく原稿読取板の表面を清掃することができる。また、読取部ごとに清掃機構を設ける必要もなく、異なる読取部における原稿読取板の清掃を１台で行うことができるので、大変経済的である。
【００１１】
ここで、前記第１と第２のガイド部は、それぞれ第１と第２の原稿読取板よりも原稿搬送方向下流側において形成されると共に、前記第１と第２の原稿読取板表面のそれぞれには、各読取位置より原稿搬送上流側の位置に、所定の厚みの第１、第２のシート部材が主走査方向に平行に貼着されており、前記第１と第２の清掃面は、それぞれ対応する原稿読取板を清掃する際に、前記第１または第２シート部材に接触しないように配置されてなることが望ましい。
【００１２】
また、ここで、前記第１と第２の清掃面が所定の角度をなして山形に形成されてなるとしてもよい。
この場合、前記第１の清掃面が第２の清掃面よりも係合部から遠い位置に形成されており、前記第１の当接状態において、第１のガイド部から第１のシート部材までの距離をＬ１、第１のガイド部から第１の清掃面の、係合部と反対側の端部までの距離をＬ３とし、前記第２の当接状態において、第２のガイド部から第２のシート部材までの距離をＬ２、第２のガイド部から第２の清掃面の、係合部と反対側の端部までの距離をＬ４とすると、Ｌ１＞Ｌ３、Ｌ２＞Ｌ４であって、かつ、前記第２の当接状態のときに、第１の清掃面が第１の原稿読取板から後退する方向に傾いて、第２のシート部材に接触しないように前記第１と第２の清掃面のなす角度が決定されているのが望ましい。
【００１３】
また、前記第１と第２の清掃面は段違いに形成されてなるとしてもよい。
この場合、前記第１の清掃面が第２の清掃面よりも係合部から遠い位置に形成されており、前記第１の当接状態において、第１のガイド部から第１のシート部材までの距離をＬ１、第１のガイド部から第１の清掃面の、係合部と反対側の端部までの距離をＬ３とし、前記第２の当接状態において、第２のガイド部から第２のシート部材までの距離をＬ２、第２のガイド部から第２の清掃面の、係合部と反対側の端部までの距離をＬ４とすると、Ｌ１＞Ｌ３、Ｌ２＞Ｌ４であって、かつ、前記第２の当接状態のときに、第１の清掃面が第１の原稿読取板から後退して、第２のシート部材に接触しないように前記第１と第２の清掃面の段差の方向と大きさが決定されているようにするのが望ましい。
【図面の簡単な説明】
【００１４】
【図１】本発明に係る清掃具が適用される画像読取装置が搭載された複写機の一例を示す概略構成図である。
【図２】上記画像読取装置の概略構成図である。
【図３】画像読取装置のシートスルー方式による第１面読取部Ｐ１の第１読取ガラス１３付近の様子を示す一部外観斜視図である。
【図４】図３の主走査方向のほぼ中央部における概略断面図である。
【図５】画像読取装置の第２面読取位置付近の様子を示す図である。
【図６】本発明の実施の形態に係る読取ガラスの清掃具を斜め上方から見たときの斜視図である。
【図７】上記清掃具を裏返したときの斜視図である。
【図８】（ａ）、（ｂ）は、それぞれ上記清掃具により第１、第２の読取ガラスを清掃する際における当該第１、第２の読取ガラスと清掃具との当接状態を示す図である。
【図９】本発明の変形例に係る清掃具の清掃面を示す斜視図である。
【図１０】（ａ）、（ｂ）は、それぞれ上記変形例に係る清掃具により第１、第２の読取ガラスを清掃する際における当該第１、第２の読取ガラスと清掃具との当接状態を示す図である。
【発明を実施するための形態】
【００１５】
（１）画像読取装置および複写機
まず、本発明に係る読取ガラスの清掃具の構成について説明するに先だって、当該原稿読取板清掃具が適用される画像読取装置を備えた複写機の構成について簡単に説明する。
図１は、当該画像読取装置が搭載された複写機１００の構成を示す概略図である。
図１に示すように、複写機１００は、画像読取装置１と画像形成装置２とを備えている。
【００１６】
画像読取装置１は、上面に第１読取ガラス１３およびプラテンガラス１６が設けられた画像読取部１０と、この画像読取部１０の上方に開閉可能に載置された自動原稿搬送部（ＡＤＦ: Automatic Document Feeder）４０とを備えている。
自動原稿搬送部４０は、原稿給紙トレイ４０ａに載置された原稿を１枚ずつ送り出し、画像読取部１０の第１読取ガラス１３を通過させた後、原稿排紙トレイ４０ｂ上に排出する。
【００１７】
画像読取部１０は、自動原稿搬送部４０によって第１読取ガラス１３上に搬送される原稿の画像面、または、プラテンガラス１６上に載置された原稿の画像面に、光源１１からの光を照射し、原稿の画像面からの反射光を縮小光学系を介してラインセンサ１２に照射する。ラインセンサ１２から原稿画像に対応した画像データが出力される。
画像形成装置２は、上記画像読取部１０のラインセンサ１２から出力される画像データ等に基づいて画像を形成するものであり、例えば公知の電子写真方式やインクジェット方式のプリンタからなる。
【００１８】
図２は、画像読取装置１の概略構成図である。
画像読取部１０の上面に設けられた第１読取ガラス１３は、自動原稿搬送部４０によって搬送される原稿の搬送方向とは直交する方向（主走査方向）に長く延びる長尺状になっている。
また、原稿が載置されるプラテンガラス１６は、第１読取ガラス１３に対して原稿搬送方向（副走査方向）の下流側に、第１読取ガラス１３とは適当な間隔をあけて配されている。
【００１９】
自動原稿搬送部４０の原稿給紙トレイ４０ａ上に載置された原稿Ｄは、ピックアップローラ４２によって分離ローラ対４３へ搬送される。分離ローラ対４３は、さばきローラ４３ａと給紙ローラ４３ｂとを備えており、ここで原稿Ｄが１枚ずつに分離され、搬送路４９を介してレジストローラ対４４へ送られる。
レジストローラ対４４は、原稿Ｄのスキュー補正を実行すると共に、所定のタイミングで読取前ローラ対４５に送り出す。読取前ローラ対４５は、原稿Ｄを第１読取ガラス１３に向って搬送して、第１面読取部Ｐ１における第１読取ガラス１３の表面上を通過させる。
【００２０】
そのすぐ下流側には、原稿幅とほぼ同じ幅のラインセンサ４１１と光源４１２が内蔵され（図５参照）、縮小光学系を介さずに直線原稿画像を読み取ることができる公知のコンタクトイメージセンサ（以下、「ＣＩＳ」と略する。）４１が配設されており（第２面読取部Ｐ２）、通過する原稿の第２面（裏面）の画像を読み取る。
これにより、不図示の操作パネルで両面読取モードが指定されたときに、１回の原稿通紙でその両面の画像を読み取ることができるように構成されている。
【００２１】
原稿Ｄは、さらに読取後ローラ対４７、排紙ローラ対４８を介して排紙トレイ４０ｂ上に排出される。
なお、画像読取部１０に設けられた第１読取ガラス１３の下方には、蛍光灯などの線状の光源１１や反射ミラー１５ｂを主走査方向に沿った状態で搭載すると共に、矢印Ａで示す方向にスライド可能に構成された第１スライダー１８が配されている。
【００２２】
第１スライダー１８は、自動原稿搬送部４０によって搬送される原稿Ｄを読み取る場合には、図２に示すように、光源１１が第１読取ガラス１３の直下における所定のシートスルーポジションに位置した状態で停止される。
一方、ミラースキャン方式によりプラテンガラス１６上の原稿を読み取る場合には、図２に矢印Ａで示す方向に移動される。第２スライダー１９は、９０度の角度をなして対向配置された２枚の反射ミラー１５ｃ、１５ｄを搭載し、上記第１のスライダー１８の移動速度の２分の１の速度で同方向に移動することにより、原稿面から集光レンズ１５までの光路長が変化しないようにする。これにより原稿画像がラインセンサ１２のセンサ面に結像され電気信号に変換される。
【００２３】
図３は、自動原稿搬送部４０を上方に開放して、上記画像読取部１０における第１面読取部Ｐ１付近を上方斜め方向から見たときの外観図である。
図３に示すように第１読取ガラス１３の上面の原稿搬送方向Ｂの上流側には、所定の厚みｔ１（本実施の形態では、０．６ｍｍ程度）の樹脂製の帯状の第１段差シート１３１が接着剤や両面テープなどを介して主走査方向に平行に貼着されている。
【００２４】
一般に、段差シートは、原稿と読取ガラスが直接接触して紙粉などが発生しないようにするために設けられるものである。
第１読取ガラス１３より下流側には、原稿Ｄを自動原稿搬送部４０側の搬送路に戻すための搬送用のガイド部材１３２が形成されている。
図４は、図３の主走査方向のほぼ中央部における概略断面図である。
【００２５】
同図に示すように搬送されてきた原稿Ｄは、第１段差シート１３１の上面に当接してそのまま当該第１段差シート１３１の上面に沿って進むため、第１読取ガラス１３の表面とｔ１ｍｍ（０．６ｍｍ）の隙間を介在させた状態で搬送され、ガイド部材１３２に案内されて上方の自動原稿搬送部４０に向かう。
このような構成により原稿Ｄが第１読取ガラス１３に接触しないで通過させることができ、紙粉等が第１読取ガラス１３に付着するのを低減できる。
【００２６】
なお、図中の網線部Ｒ１は、原稿の読取位置（原稿読取り用の射出光と原稿面からの反射光が通過する領域）を示す。
図５は、ＣＩＳ４１が配された第２面読取部Ｐ２付近における概略断面図である。
同図に示すようにＣＩＳ４１は、筺体４１０内に線状の光源４１２とラインセンサ４１１が内蔵され、その読取方向前面には第２読取ガラス４１３が取り付けられ、外部から紙粉や塵埃が混入しないように密閉状態に保たれている。
【００２７】
４１５、４１６は、原稿の搬送路を形成するためのガイド部材であり、原稿搬送方向下流側のガイド部材４１６に形成されたガイド溝４１７は、清掃具３０（後述）を使用して清掃する際にガイドの役目を果たす。本例では、ＣＩＳ４１の筺体側面が溝の壁面の一部をなすように構成されている。
図中の網線部Ｒ２は、第２面読取部Ｐ２における原稿の読取位置（原稿読取り用の射出光と原稿面からの反射光が通過する領域）を示す。
【００２８】
このように、第１面読取部Ｐ１と第２面読取部Ｐ２の搬送路に面した部分の形状が異なるのは、第１面読取部Ｐ１は、下方の画像読取部１０に形成されており、この部分で原稿を大きく湾曲させて再度自動原稿搬送部４０の搬送路に戻す必要があるため、ガイド部材１３２などが不可欠であり、一方、第２面読取部Ｐ２は、比較的直線的な搬送路に沿って設けられるため、ガイド部材１３２などの突状のガイド部を設けることが不可能なことなどの理由による。
（２）清掃具３０の構成
次に、上記第１読取ガラス１３、第２読取ガラス４１３の表面を清掃するための清掃具３０の構成について説明する。
【００２９】
図６は、当該清掃具３０の全体斜視図である。
同図に示すように清掃具３０は、本体３１の上部につまみ部３２を設けると共に、その下面に山形に形成された清掃面部３３を有し、また、清掃面部３３の側方には溝３４を挟んでエッジ状の係合部３５が設けられてなる。本体３１は、適当な樹脂材料を射出成形することにより形成される。なお、この清掃具３０自体それほど大きくないので、つまみ部３２がなくても全体をつかんで清掃動作を行うことも可能であり、つまみ部３２を形成することは必須ではない。
【００３０】
図７は、清掃具３０を裏返したときの斜視図である。
同図に示すように清掃具３０は、本体３１下面の山形に成形された部分に所定厚みのシート状の清掃材料３３１ａ、３３２ａを貼着してなる第１、第２清掃面３３１、３３２を備える。
この清掃材料３３１ａ、３３２ａは、弾性を有すると共に表面が柔らかでガラスに傷を付けない材料が使用される。このような材料として、例えば、フェルト、もしくはスポンジシートの表面に柔らかな布を貼り付けたものなどが使用されるが、これらに限定されない。なお、図７の例では、清掃材料３３１ａ、３３２ａは、つながった一枚のものが使用されている。
【００３１】
図８（ａ）（ｂ）は、上記清掃具３０の形状と第１面、第２面読取部Ｐ１、Ｐ２の形状との関係およびその使用状態を示すための図である。両図とも当接状態が分かりやすいように清掃具３０は断面で示している。
図８（ａ）は、清掃具３０の係合部３５を、第１面読取部Ｐ１における搬送用のガイド部材１３２のエッジ部に係合させた状態（以下、「第１の当接状態」という。）を示すものである。
【００３２】
同図に示すように、第１の当接状態では原稿の搬送用のガイド部材１３２（高さＨ）が、清掃具３０のガイドも兼ねており、清掃具３０の係合部３５がこれに係合しているとき、清掃面部３３の第１清掃面３３１が、第１読取ガラス１３表面の読取位置Ｒ１の領域を含む部分に当接するようになっている。
図において、係合部３５とガイド部材１３２との係合位置Ｅ１から第１読取ガラス１３の表面に平行な方向における第１段差シート１３１までの距離をＬ１とし、同じく係合位置Ｅ１から、第１清掃面３３１の係合部３５から遠い側の端面までの第１読取ガラス１３の表面に平行な方向における距離をＬ３、また、係合位置Ｅ１から読取位置Ｒ１の遠い側の位置までの第１読取ガラス１３の表面に平行な方向における距離をＳ１とすれば、Ｌ３＞Ｓ１、Ｌ１＞Ｌ３の関係になっており、清掃面部３３が読取位置Ｒ１を覆いつつ、第１段差シート１３１に接触しない状態となっている。
【００３３】
従来、第１読取ガラス１３の清掃のため、ユーザが布などで不用意に拭うと、第１段差シート１３１を損傷したり剥がれたりするおそれがあった。
しかし、この清掃具３０を使用すれば、係合部３５をガイド部材１３２に合わせて、第１の当接状態にし、清掃具３０をガイド部材１３２に沿って主走査方向に滑らすことにより、第１読取ガラス１３の読取位置Ｒ１の清掃を素早く、しかも第１段差シート１３１を損傷したり、剥がしたりすることなく行うことができる。
【００３４】
図８（ｂ）は、清掃具３０の係合部３５を、第２面読取部Ｐ２におけるガイド溝４１７に係合させた状態（以下、「第２の当接状態」という。）を示すものである。
同図に示すように、第２面読取部Ｐ２では、ガイド溝４１７と読取位置Ｒ２との距離がガイド部材１３２と第１面読取部Ｐ１との距離よりも短く、また、ガイド部材１３２のように突状ではなく溝状のガイドであるので、この第２の当接状態では、清掃具３０全体が図の右側にやや傾き、清掃面部３３の第２清掃面３３２が第２読取ガラス４１３表面の読取位置Ｒ２の領域を含む部分に当接する。
【００３５】
今、係合部３５とガイド溝４１７との係合位置Ｅ２から、第２読取ガラス４１３の表面に平行な方向における第２段差シート４１４までの距離をＬ２とし、同じく係合位置Ｅ２から、第２清掃面３３２の係合部３５から遠い側の端部（第１清掃面３３１と第２清掃面３３２との境界部）までの第２読取ガラス４１３の表面に平行な方向における距離をＬ４、また、係合位置Ｅ１から読取位置Ｒ２の遠い側の位置までの第２読取ガラス４１３の表面に平行な方向における距離をＳ２とすれば、Ｌ４＞Ｓ２、Ｌ２＞Ｌ４の関係になっており、清掃面部３３の第２清掃面３３２が読取位置Ｒ２に当接しつつ、第２段差シート４１４に接触しない。
【００３６】
しかも、第１清掃面３３１は、第２清掃面３３２を含む面から所定の角度θだけ後退するように傾斜させているので、第２段差シート４１４のガイド溝４１７に近い側の端面の縁と、第１清掃面３３１との距離Ｌ５が０を超える（Ｌ５＞０）ようにすることができ、第１清掃面３３１と第２段差シート４１４も接触することがない。もっとも、第２清掃面３３２には弾性材料が貼付されているので、清掃具３０を押し付けても、Ｌ５＞０となる程度の余裕をもってθの値が決定される。
【００３７】
これにより、第２面読取部Ｐ２の第２読取ガラス４１３の読取位置Ｒ２を清掃する場合にも、係合部３５をガイド溝４１７に合わせて、第２の当接状態にし、清掃具３０をガイド溝４１７に沿って主走査方向に滑らすだけで、第２読取ガラス４１３の読取位置Ｒ２の清掃を素早く、しかも第２段差シート４１４を損傷したり、剥がしたりすることなく行うことができる。
【００３８】
以上のように本実施の形態に係る清掃具３０によれば、１台で２つの異なる原稿読取部の読取ガラスをすばやくかつ段差シートを損傷することなく清掃することができ、大変使い勝手がよいと共に、読取部ごとに従来のような清掃機構を設ける必要や、異なる清掃具を複数個設ける必要もなく大変経済的である。
（３）変形例
以上、本発明の実施の形態について説明してきたが、本発明の内容が、上記実施の形態に限定されないことは勿論であり、例えば、以下のような変形例を実施できる。
【００３９】
（３−１）図９は、本変形例に係る清掃具３０‘を下方から見たときの斜視図である。
同図に示すように清掃具３０‘は、その清掃面部３６の形状が上記実施の形態と異なっており、第１清掃面３６１と第２清掃面３６２の清掃面が平行で、かつ、第１清掃面３６１が第２清掃面３６２よりも後退するようにして段違いに形成されてなる。
各第１清掃面３６１、第２清掃面３６２は、上記実施の形態と同様所定厚みのシート状の清掃材料３６１ａ、３６２ａが貼着されてなる。
【００４０】
図１０（ａ）（ｂ）は、上記清掃具３０‘の形状と第１面、第２面読取部Ｐ１、Ｐ２の形状との関係およびその使用状態を示すための図である。本図においても当接状態が分かりやすいように清掃具３０’は断面で示している。
図１０（ａ）は、清掃具３０‘の係合部３５を、第１面読取部Ｐ１における搬送用のガイド部材１３２のエッジ部に係合させた状態（第１の当接状態）を示すものである。
【００４１】
同図に示すように、第１の当接状態では、清掃具３０‘の係合部３５がガイド部材１３２に係合しているとき、清掃面部３６の第１清掃面３６１が、第１読取ガラス１３表面の読取位置Ｒ１の領域を含む部分に当接するようになっている。
このとき、第２清掃面３６２は、ガイド部材１３２と第１読取ガラス１３との間に形成されている凹部１３３に入り込み、第１清掃面３６１が第１読取ガラス１３表面に当接する際に邪魔にならないようになっている。当該凹部１３３の深さや幅などの寸法は、上記効果を奏するように第２清掃面３６２の寸法や段差Ｄとの関係で適宜決定される。
【００４２】
上記実施の形態と同様、係合部３５とガイド部材１３２との係合位置Ｅ１から、第１読取ガラス１３の表面に平行な方向における第１段差シート１３１までの距離をＬ１、係合位置Ｅ１から、第１清掃面３６１の係合部３５から遠い側の端面までの、第１読取ガラス１３の表面に平行な方向における距離をＬ３、また、係合位置Ｅ１から読取位置Ｒ１の遠い側の位置までの第１読取ガラス１３の表面に平行な方向における距離をＳ１とすれば、Ｌ３＞Ｓ１、Ｌ１＞Ｌ３の関係になっており、清掃面部３６が読取位置Ｒ１を覆いつつ、第１段差シート１３１に接触しない状態となっている。
【００４３】
図１０（ｂ）は、掃具３０‘の係合部３５を、第２面読取部Ｐ２におけるガイド溝４１７に係合させた状態（第２の当接状態）を示すものである。
同図に示すように、第２面読取部Ｐ２では、ガイド部であるガイド溝４１７と読取位置Ｒ２との距離が第１面読取部Ｐ１の場合よりも短く、また、ガイド部材１３２のように突状ではなく、溝状のガイドであるので、この第２の当接状態では、清掃面部３６の第２清掃面３６２が、第２読取ガラス４１３表面の読取位置Ｒ２の領域を含む部分に当接する。
【００４４】
係合部３５とガイド溝４１７との係合位置Ｅ２から、第２読取ガラス４１３の表面に平行な方向における第２段差シート４１４までの距離をＬ２とし、同じく係合位置Ｅ２から、第２清掃面３６２の係合部３５から遠い側の端面までの第２読取ガラス４１３の表面に平行な方向における距離をＬ４、また、係合位置Ｅ２から読取位置Ｒ２の遠い側の位置までの第２読取ガラス４１３の表面に平行な方向における距離をＳ２とすれば、Ｌ４＞Ｓ２、Ｌ２＞Ｌ４の関係になっており、清掃具３０‘の第２清掃面３６２が第２読取ガラス４１３の読取位置Ｒ２に当接しつつ、第２段差シート４１４には接触しない位置関係となる。
【００４５】
しかも、第１清掃面３６１は、第２清掃面３６２から所定距離Ｄだけ後退しているので、第２段差シート４１４と第１清掃面３６１との距離Ｌ５が０を超える（Ｌ５＞０）ようにすることができ、当該第１清掃面３６１と第２段差シート４１４も接触することがない。もっとも、第２清掃面３６２には弾性材料が貼付されているので、清掃具３０‘を押し付けても、Ｌ５＞０となる程度の余裕をもってＤの値が決定される。
【００４６】
本変形例においても、清掃具３０‘の係合部３５をガイド部材１３２やガイド溝４１７に合わせて主走査方向に移動させるだけで、第１段差シート１３１、第２段差シート４１４を損傷したり剥離させることなく、第１読取ガラス１３、第２読取ガラス４１３の各読取領域を素早く確実に清掃することができる。
（３−２）上記実施の形態では、２種類の原稿読取部に対応させて、清掃面部に位置関係の異なる２種類の清掃面を形成するようにしたが、もし、３種類以上の原稿読取部が存在するような場合には、それらの原稿搬送面に対向する部分の形状に合わせて、位置関係の異なる清掃面を３つ以上形成することにより、対応することが可能である。
【００４７】
（３−３）複写機の画像読取装置用の清掃具としたが、シートスルー方式であって読取ガラスを有するものであれば、どのような画像読取装置にも適用され得る。
【産業上の利用可能性】
【００４８】
本発明は、シートスルー方式の画像読取装置における原稿読取ガラスに付着する紙粉等を除去することができる清掃具として有用である。
【符号の説明】
【００４９】
１        画像読取装置
２        画像形成装置
１０        画像読取部
１１、４１２      光源
１２、４１１      ラインセンサ
１３、４１３      読取ガラス
１８        第１スライダー
１９        第２スライダー
３０、３０‘    清掃具
３１        本体    
３２        つまみ部
３３、３６      清掃面部
３５        係合部
４０        自動原稿搬送部
４１        ＣＩＳ
１３１、４１４  段差シート
１３２      ガイド部材
４１７      ガイド溝
３３１、３６１      第１清掃面
３３２、３６２      第２清掃面
【図１】
2011160099.tif 000003
【図２】
2011160099.tif 000004
【図３】
2011160099.tif 000005
【図４】
2011160099.tif 000006
【図５】
2011160099.tif 000007
【図６】
2011160099.tif 000008
【図７】
2011160099.tif 000009
【図８】
2011160099.tif 000010
【図９】
2011160099.tif 000011
【図１０】
2011160099.tif 000012